(57)【要約】【課題】執務席の固定化を避けると共に、利用者の要望も考慮した執務席を提示できるようにする。【解決手段】施設管理装置２のプロセッサ２２が、執務エリアに設置されたカメラ１の映像を取得して、その映像に基づいて、各執務席の在席状況を検知して、その検知結果に基づいて、空席状態の執務席を抽出し、作業環境に関する選定条件を指定する利用者の操作に応じて、空席状態の執務席の中から、利用者が指定した選定条件に適合した執務席を執務席候補として選定し、執務席候補を利用者に提示する執務席提示情報を生成する。【選択図】図３
2019144918.tif 000002
【特許請求の範囲】
【請求項１】
執務エリア内に配置された複数の執務席の中から執務席候補を選択して、その執務席候補を利用者に提示する処理をプロセッサにより実行する執務席提示システムであって、
前記プロセッサは、
前記執務エリアに設置されたセンサの検出情報を取得して、その検出情報に基づいて、各執務席の在席状況を検知して、その検知結果に基づいて、空席状態の執務席を抽出し、
作業環境に関する選定条件を指定する利用者の操作に応じて、空席状態の執務席の中から、利用者が指定した前記選定条件に適合した執務席を執務席候補として選定し、
前記執務席候補を利用者に提示する執務席提示情報を生成することを特徴とする執務席提示システム。
【請求項２】
前記プロセッサは、
前記選定条件を指定する利用者の操作に応じて、空席状態の執務席の中から、静穏な作業環境を確保できる執務席を前記執務席候補として選定することを特徴とする請求項１に記載の執務席提示システム。
【請求項３】
前記プロセッサは、
前記選定条件を指定する利用者の操作に応じて、空席状態の執務席の中から、周囲の人物との交流が促進される作業環境を確保できる執務席を前記執務席候補として選定することを特徴とする請求項１に記載の執務席提示システム。
【請求項４】
前記プロセッサは、
前記選定条件を指定する利用者の操作に応じて、空席状態の執務席の中から任意の執務席を前記執務席候補として選定することを特徴とする請求項１に記載の執務席提示システム。
【請求項５】
前記プロセッサは、
前記検出情報として、利用者が所持する無線タグの信号情報、カメラにより利用者を撮影した画像情報、利用者が所持するＩＣカードの読取情報のいずれかを取得することを特徴とする請求項１から請求項４のいずれかに記載の執務席提示システム。
【請求項６】
執務エリア内に配置された複数の執務席の中から執務席候補を選択して、その執務席候補を利用者に提示する処理をプロセッサにより実行する執務席提示方法であって、
前記執務エリアに設置されたセンサの検出情報を取得して、その検出情報に基づいて、各執務席の在席状況を検知して、その検知結果に基づいて、空席状態の執務席を抽出し、
作業環境に関する選定条件を指定する利用者の操作に応じて、空席状態の執務席の中から、利用者が指定した前記選定条件に適合した執務席を執務席候補として選定し、
前記執務席候補を利用者に提示する執務席提示情報を生成することを特徴とする執務席提示方法。
【発明の詳細な説明】
【技術分野】
【０００１】
本発明は、執務エリア内に配置された複数の執務席の中から執務席候補を選択して、その執務席候補を利用者に提示する処理をプロセッサにより実行する執務席提示システムおよび執務席提示方法に関するものである。
【背景技術】
【０００２】
近年、オフィスにおいて、勤務者間のコミュニケーションの活性化や、部署や部門を超えたコラボレーションなどを目的として、利用者が執務席を自由に選択して執務を行うフリーアドレス制を導入する企業が増えてきている。
【０００３】
このようなフリーアドレス制を採用したオフィスでは、長年運用を続けてゆくと、執務席が固定化される、すなわち、毎日同じ席に同じ人が着席しているような状況に陥り、折角のフリーアドレス制のメリットが発揮されなくなってしまう。そこで、執務席の固定化を防止する技術が望まれる。
【０００４】
このような執務席の固定化を防止する技術として、従来、空席状態の執務席の中から利用者に割り当てる執務席をランダムに選出する技術が知られている（特許文献１参照）。また、利用者同士の関連性の度合いを示す相関値を算出して、その相関値に基づいて、利用者に割り当てる執務席を決定する技術が知られている（特許文献２参照）。
【先行技術文献】
【特許文献】
【０００５】
【特許文献１】特開２０１０−０７９５８５号公報
【特許文献２】特開２０１２−１７７９７４号公報
【発明の概要】
【発明が解決しようとする課題】
【０００６】
さて、フリーアドレス制を採用したオフィスでは、利用者によっては、その日の業務内容に適した執務席を利用したいといった要望がある。しかしながら、前記従来の技術では、このような利用者の要望がなんら考慮されず、また、執務席を強制的に指定されるような印象を利用者に与えてしまい、利用者が執務席を自由に選択できるというフリーアドレス制の利点が損なわれるという問題があった。
【０００７】
そこで、本発明は、執務席の固定化を避けると共に、利用者の要望も考慮した執務席を提示することができる執務席提示システムおよび執務席提示方法を提供することを主な目的とする。
【課題を解決するための手段】
【０００８】
本発明の執務席提示システムは、執務エリア内に配置された複数の執務席の中から執務席候補を選択して、その執務席候補を利用者に提示する処理をプロセッサにより実行する執務席提示システムであって、前記プロセッサは、前記執務エリアに設置されたセンサの検出情報を取得して、その検出情報に基づいて、各執務席の在席状況を検知して、その検知結果に基づいて、空席状態の執務席を抽出し、作業環境に関する選定条件を指定する利用者の操作に応じて、空席状態の執務席の中から、利用者が指定した前記選定条件に適合した執務席を執務席候補として選定し、前記執務席候補を利用者に提示する執務席提示情報を生成する構成とする。
【０００９】
また、本発明の執務席提示方法は、執務エリア内に配置された複数の執務席の中から執務席候補を選択して、その執務席候補を利用者に提示する処理をプロセッサにより実行する執務席提示方法であって、前記執務エリアに設置されたセンサの検出情報を取得して、その検出情報に基づいて、各執務席の在席状況を検知して、その検知結果に基づいて、空席状態の執務席を抽出し、作業環境に関する選定条件を指定する利用者の操作に応じて、空席状態の執務席の中から、利用者が指定した前記選定条件に適合した執務席を執務席候補として選定し、前記執務席候補を利用者に提示する執務席提示情報を生成する構成とする。
【発明の効果】
【００１０】
本発明によれば、作業環境に関する選定条件を利用者に指定させて、その選定条件に適合した執務席を執務席候補として利用者に提示する。このため、執務席の固定化を避けると共に、利用者の要望も考慮した執務席を提示することができる。
【図面の簡単な説明】
【００１１】
【図１】本実施形態に係る執務席提示システムの全体構成図
【図２】執務室のレイアウト、カメラ１の設置状況、および検知エリアの設定状況を示す説明図
【図３】施設管理装置２、デジタルサイネージ３およびユーザ端末４の概略構成を示すブロック図
【図４】デジタルサイネージ３に表示される初期状態の執務席マップ画面を示す説明図
【図５】デジタルサイネージ３に表示されるモード指定画面を示す説明図
【図６】デジタルサイネージ３に表示される執務席提示状態の執務席マップ画面を示す説明図
【図７】施設管理装置２で行われる処理の手順を示すフロー図
【図８】施設管理装置２で行われる処理の手順を示すフロー図
【図９】施設管理装置２で行われる仮予約管理の処理手順を示すフロー図
【図１０】施設管理装置２で行われる在席管理の処理手順を示すフロー図
【発明を実施するための形態】
【００１２】
前記課題を解決するためになされた第１の発明は、執務エリア内に配置された複数の執務席の中から執務席候補を選択して、その執務席候補を利用者に提示する処理をプロセッサにより実行する執務席提示システムであって、前記プロセッサは、前記執務エリアに設置されたセンサの検出情報を取得して、その検出情報に基づいて、各執務席の在席状況を検知して、その検知結果に基づいて、空席状態の執務席を抽出し、作業環境に関する選定条件を指定する利用者の操作に応じて、空席状態の執務席の中から、利用者が指定した前記選定条件に適合した執務席を執務席候補として選定し、前記執務席候補を利用者に提示する執務席提示情報を生成する構成とする。
【００１３】
これによると、作業環境に関する選定条件を利用者に指定させて、その選定条件に適合した執務席を執務席候補として利用者に提示する。このため、執務席の固定化を避けると共に、利用者の要望も考慮した執務席を提示することができる。
【００１４】
また、第２の発明は、前記プロセッサは、前記選定条件を指定する利用者の操作に応じて、空席状態の執務席の中から、静穏な作業環境を確保できる執務席を前記執務席候補として選定する構成とする。
【００１５】
これによると、静穏な作業環境、すなわち、周囲の人物に邪魔されない落ち着いた作業環境で執務を行いたいという利用者の要望に応えることができる。
【００１６】
また、第３の発明は、前記プロセッサは、前記選定条件を指定する利用者の操作に応じて、空席状態の執務席の中から、周囲の人物との交流が促進される作業環境を確保できる執務席を前記執務席候補として選定する構成とする。
【００１７】
これによると、周囲の人物と積極的に交流しながら執務を行いたいという利用者の要望に応えることができる。
【００１８】
また、第４の発明は、前記プロセッサは、前記選定条件を指定する利用者の操作に応じて、空席状態の執務席の中から任意の執務席を前記執務席候補として選定する構成とする。
【００１９】
これによると、執務席を自由に選定してかまわないという利用者の要望に応えることができる。
【００２０】
また、第５の発明は、前記プロセッサは、前記検出情報として、利用者が所持する無線タグの信号情報、カメラにより利用者を撮影した画像情報、利用者が所持するＩＣカードの読取情報のいずれかを取得する構成とする。
【００２１】
これによると、執務席の在席状態を精度よく検知することができる。
【００２２】
また、第６の発明は、執務エリア内に配置された複数の執務席の中から執務席候補を選択して、その執務席候補を利用者に提示する処理をプロセッサにより実行する執務席提示方法であって、前記執務エリアに設置されたセンサの検出情報を取得して、その検出情報に基づいて、各執務席の在席状況を検知して、その検知結果に基づいて、空席状態の執務席を抽出し、作業環境に関する選定条件を指定する利用者の操作に応じて、空席状態の執務席の中から、利用者が指定した前記選定条件に適合した執務席を執務席候補として選定し、前記執務席候補を利用者に提示する執務席提示情報を生成する構成とする。
【００２３】
これによると、第１の発明と同様に、執務席の固定化を避けると共に、利用者の要望も考慮した執務席を提示することができる。
【００２４】
以下、本発明の実施の形態を、図面を参照しながら説明する。
【００２５】
図１は、本実施形態に係る執務席提示システムの全体構成図である。
【００２６】
この執務席提示システムは、フリーアドレス制の執務室において、執務席を利用者に提示するものであり、カメラ１と、施設管理装置２と、デジタルサイネージ３と、ユーザ端末４と、を備えている。カメラ１、施設管理装置２、デジタルサイネージ３およびユーザ端末４は、ネットワークを介して接続されている。
【００２７】
カメラ１は、執務室に設置されており、執務室に滞在する人物を撮影する。
【００２８】
施設管理装置２は、カメラ１から送信される映像を受信して、その映像を解析することで、執務席の在席状況（空席状況）などに関する表示情報を生成する。
【００２９】
デジタルサイネージ３は、各執務室の入口に設置されており、施設管理装置２から送信される表示情報に基づいて、執務室の在席状況（空席状況）を表示する。このデジタルサイネージ３は、タッチパネルを備えており、タッチ操作で必要な画面操作を行うことができる。利用者は、執務室に入室する際に、デジタルサイネージ３の画面を閲覧して、執務席を選択する操作を行い、提示された執務席に座って執務を行う。
【００３０】
ユーザ端末４は、利用者が所持するものであり、可搬型のＰＣ（ノートＰＣやタブレットＰＣなど）やスマートフォンなどの携帯端末である。このユーザ端末４には、ブラウザにより、デジタルサイネージ３と同様の画面が表示される。利用者は、別の執務室に移動する際に、ユーザ端末４で執務室の在席状況を事前に確認して、利用する執務席を選択することができる。
【００３１】
次に、執務室のレイアウト、カメラ１の設置状況、およびカメラ１の映像に設定される検知エリアについて説明する。図２は、執務室のレイアウト、カメラ１の設置状況、および検知エリアの設定状況を示す説明図である。
【００３２】
執務室には、机および執務席（椅子）が並べて配置されており、利用者はいずかの執務席に座って執務を行う。
【００３３】
執務室の天井には、カメラ１が設置されており、執務室に滞在する人物を撮影する。このカメラ１には、魚眼レンズを用いて３６０度の範囲を撮影する全方位カメラや、所定の画角の範囲を撮影するボックスカメラが採用される。
【００３４】
本実施形態では、カメラ１の映像上に執務席ごとの検知エリア（点線の矩形エリア）が予め設定され、この検知エリアの映像に基づいて、人物が執務席に座っているか否かを検知する。
【００３５】
この検知エリアは、執務席に座った人物の身体が存在することが想定される位置に設定され、１つの検知エリアが１人の人物に対応するように、人物の身体の大きさを基準にして設定される。また、検知エリアは、カメラ１の映像を表示した画面上で検知エリアの範囲を利用者が指定する操作を行うことで設定されるようにすればよいが、カメラ１の映像から物体（椅子および机）を検出して、その検出結果に基づいて検知エリアを設定するようにしてもよい。
【００３６】
次に、施設管理装置２、デジタルサイネージ３およびユーザ端末４の概略構成について説明する。図３は、施設管理装置２、デジタルサイネージ３およびユーザ端末４の概略構成を示すブロック図である。
【００３７】
施設管理装置２は、通信部２１と、プロセッサ２２と、記憶部２３と、表示部２４（表示装置）と、入力部２５と、を備えている。
【００３８】
通信部２１は、カメラ１との間で通信を行い、カメラ１から送信される映像を受信する。また、通信部２１は、デジタルサイネージ３およびユーザ端末４との間で通信を行い、画面の表示情報をデジタルサイネージ３およびユーザ端末４に配信し、デジタルサイネージ３およびユーザ端末４から操作情報を受信する。
【００３９】
記憶部２３は、通信部２１でカメラ１から受信した映像や、検知エリアに関する設定情報などの各種の設定情報や、プロセッサ２２で実行されるプログラムなどを記憶する。
【００４０】
表示部２４では、検知エリアを入力する画面（図示せず）などが表示される。入力部２５では、オペレータが検知エリアを入力する操作などを行う。
【００４１】
プロセッサ２２は、記憶部２３に記憶されたプログラムを実行することで、各種の処理を行う。本実施形態では、執務席管理、在席検知、空席状況提示、執務席候補選定、執務席候補提示、利用者識別、および利用者提示の各処理を行う。
【００４２】
執務席管理の処理では、在席検知の処理で在席と判定されると、その執務席の状態を「在席」に設定し、不在と判定されると、その執務席の状態を「空席」に設定する（在席管理）。また、利用者が、提示された執務席を選択すると、執務席の状態を「仮予約」に設定する（仮予約管理）。また、利用者が、「静か」の選定モードを指定した上で、提示された執務席を選択すると、その執務席の属性を「静か」に設定し、「入り交じり」の選定モードを指定した上で、提示された執務席を選択すると、その執務席の属性を「入り交じり」に設定する。
【００４３】
在席検知の処理では、カメラ１の映像に基づいて、各執務席に利用者が在席しているか否かをリアルタイムに検知する。本実施形態では、映像上に予め設定された執務席ごとの検知エリアにおける人物の滞在を一定時間ごとに検知して、各検知エリアにおける一定時間ごとの利用者の在席状況に関する情報を取得する。
【００４４】
具体的には、人物が滞在すると映像に何らかの変化が生じることから、検知エリアにおける映像の変化状況に基づいて、執務席に人物が在席しているか否かを検知する。具体的には、まず、所定のサンプリング周期（例えば１分間）をおいた各時刻の映像から、各時刻の検知エリアの映像を切り出す。そして、各時刻の検知エリアの映像について映像変化率を取得する。このとき、サンプリング周期をおいた直前の時刻の映像と比較して、その直前の時刻の映像に対する映像変化率を取得する。次に、各時刻の映像変化率に基づいて、検知エリアにおける人物の滞在の有無を判定する。そして、判定結果に基づいて、サンプリング周期をおいた各時刻での人物の滞在の有無を表す滞在情報を生成する。なお、在席検知処理において、上記のように映像変化率によらずに、ディープラーニングにより、在席状態と不在状態との２クラスを予め学習させた識別器を用いることができる。在席検知処理の際には、識別器により、検知エリアの画像に関して在席状態としての尤度（確からしさ）と不在状態としての尤度とを求めて、２つの尤度を比較することで、在席と不在とのいずれであるかを判定することができる。
【００４５】
なお、執務席の近傍、例えば執務席の直近のテーブル上にある利用者の所持品を検知するようにしてもよい。この場合、検知エリアの周辺の映像に基づいて、物品が新たに出現した場合には、利用者の所持品と判定すればよい。これにより、利用者が一時的に離席した場合でも、利用者の所持品が残っている場合には、在席状態を維持することができる。
【００４６】
空席状況提示の処理では、各執務席の空席状況（在席状況）を利用者に提示する。本実施形態では、初期状態の執務席マップ画面（図４参照）を生成して、その画面をデジタルサイネージ３やユーザ端末４に表示する。この初期状態の執務席マップ画面では、各執務席の空席状況（在席状況）が表示される。
【００４７】
執務席候補選定の処理では、作業環境に関する選定条件を指定する操作を利用者に行わせて、在席検知で取得した空席状態の執務席の中から、利用者が指定した選定条件に適合する執務席を執務席候補として選定する。また、本実施形態では、利用者が、作業環境に関する選定条件として、「静か」、「入り交じり」、および「お任せ」の３つの選定モードのいずれかを指定することができる。
【００４８】
「静か」の選定モードは、静穏な作業環境、すなわち、周囲の人物に邪魔されない落ち着いた作業環境で執務を行いたいという利用者の要望に応えるものである。本実施形態では、「静か」の選定モードが指定されると、空席状態の執務席の中から、属性が「入り交じり」となる執務席が付近になく、かつ、人物の滞在度合いが低いエリアにある執務席を執務席候補として選定する。
【００４９】
このように、属性が「入り交じり」となる執務席が付近にない執務席を選定することで、静穏な作業環境を望む利用者同士が隣り合う状態となる。これにより、利用者が増えて、人物の滞在度合いが十分に低い状態を維持できない場合でも、静かな作業環境を確保することができる。
【００５０】
「入り交じり」の選定モードは、周囲の人物と積極的に交流しながら執務を行いたいという利用者の要望に応えるものである。本実施形態では、「入り交じり」の選定モードが指定されると、空席状態の執務席の中から、属性が「静か」となる執務席が付近になく、かつ、人物の滞在度合いが高いエリアにある執務席を執務席候補として選定する。
【００５１】
このように、属性が「静か」となる執務席が付近にない執務席を選定することで、周囲の人物との交流を望む利用者同士が隣り合う状態となる。これにより、利用者が要望通りに周囲の人物と積極的に交流を行うことができる。
【００５２】
「お任せ」の選定モードは、作業環境に拘らないため執務席を自由に選定してかまわないという利用者の要望に応えるものである。本実施形態では、「お任せ」の選定モードが指定されると、空席状態の執務席の中から、属性が「静か」となる執務席が付近になく、かつ、人物の滞在度合いが高いエリアにある執務席をランダムに執務席候補として選定する。
【００５３】
このように、属性が「静か」となる執務席が近くにあるエリアを除外することで、静穏な作業環境を望む利用者の周辺における人物の滞在度合いを低く維持することができる。
【００５４】
ここで、人物の滞在度合いとは、所定範囲に滞在する人物の数（滞在密度）、すなわち、所定範囲に存在する在席状態の執務席の数である。例えば、在席検知で取得した各執務席の在席状況に基づいて、位置に応じた人物の滞在度合いを表すヒートマップを生成して、そのヒートマップから、人物の滞在度合いが高いエリア（人が多いエリア）と人物の滞在度合いが低いエリア（人が少ないエリア）とを判定するようにしてもよい。
【００５５】
なお、本実施形態では、執務席の属性と人物の滞在度合いとに基づいて執務席候補を選定するようにしたが、執務室内での執務席の位置（入口側、奥側）に応じて、作業環境が異なる場合がある。そこで、執務席候補の選定条件として、執務室内での執務席の位置を考慮した選定モードを用意するようにしてもよい。
【００５６】
また、利用者が他部署の人物との交流を要望する場合があり、また、自部署の人物との交流を要望する場合もある。そこで、利用者の所属部署を考慮して執務席候補を選定するようにしてもよい。この場合、デジタルサイネージ３に設けたカメラで利用者を撮影して、そのカメラの映像に対して顔認識を行うことで、デジタルサイネージ３を操作する利用者を識別して、その利用者の所属部署を取得するようにするとよい。
【００５７】
また、照明や窓との位置関係などに応じて執務席の明るさが異なる場合、利用者によっては明るい執務席がよい場合と暗めの執務席がよい場合とがある。また、エアコンの吹出し口との位置関係などに応じて執務席の温度変化の状況が異なる場合、利用者によっては温度変化が小さい執務席がよい場合がある。また、利用者が打ち合わせコーナーやトイレなどの特定の場所を頻繁に利用する場合、その場所に近い執務席がよい場合がある。また、外部から執務室に騒音が入る場合、利用者によっては騒音が小さい執務席がよい場合がある。また、執務席の広さが異なる場合があり、執務内容によっては広い執務席の方がよい場合がある。また、見晴らしがよい執務席と、パーティションなどで囲まれた閉鎖的な執務席とがあり、いずれがよいかは利用者に応じて異なる。
【００５８】
そこで、このような執務席ごとに異なる環境条件を執務席の属性として設定して、その属性を考慮した選定モードを用意するようにしてもよい。なお、このような執務席の属性は、事前に執務席ごとに設定しておけばよいが、各種のセンサの検出結果に基づいて設定するようにしてもよい。
【００５９】
執務席候補提示の処理では、執務席候補選定の処理で選定した執務席候補を利用者に提示する。本実施形態では、執務席提示情報として、執務席提示状態の執務席マップ画面（図６参照）を生成して、その画面をデジタルサイネージ３やユーザ端末４に表示する。この執務席提示状態の執務席マップ画面では、執務席候補が強調表示される。また、執務席候補選定の処理で、利用者が指定した選定条件に適合した執務席候補が複数見つかった場合には、その複数の執務席候補を提示する。
【００６０】
利用者識別の処理では、各執務席を利用する利用者を識別する。本実施形態では、利用者が所持する無線タグの受信機を執務席ごとに設置して、利用者が執務席に座る際に、無線タグから送信される信号（ユーザの識別情報を含む）を受信機で受信することで、執務席を利用する利用者を識別する。
【００６１】
また、執務席に座った利用者の顔を撮像するカメラを執務席ごとに設置して、このカメラの映像に映る人物の顔の特徴情報と、利用者データベースに登録された利用者ごとの顔の特徴情報と比較する顔照合（画像認識）を行って、執務席を利用する利用者を識別するようにしてもよい。なお、室内に設置されたカメラ１の映像に基づいて、顔照合を行うようにしてもよい。
【００６２】
また、利用者が所持するＩＣカードを読み取るカードリーダを執務席ごとに設置して、利用者が執務席に座る際に、利用者がＩＣカードをカードリーダにかざすことで、ＩＣカードに記憶されたユーザの識別情報を取得して、執務席を利用する利用者を識別するようにしてもよい。
【００６３】
また、利用者が所持するユーザ端末４で執務席マップ画面（図４、図６参照）を表示させて、その執務席マップ画面で、利用者が、自分が利用する執務席の位置を入力する操作を行うことで、執務席を利用する利用者を識別するようにしてもよい。この場合、ログイン情報（ユーザＩＤなど）からユーザの識別情報を取得すればよい。
【００６４】
なお、本実施形態では、室内に設置されたカメラ１の映像に基づいて、各執務席の在席状態を検知するようにしたが、受信機で受信した無線タグの信号情報、執務席ごとのカメラで撮影した画像情報、ＩＣカードを読み取るカードリーダの読取情報などから取得したユーザの識別情報を利用して、執務席の在席状況を検知するようにしてもよい。
【００６５】
利用者提示の処理では、各執務席に座る利用者の情報を提示する。本実施形態では、在席状況を表示する執務席マップ画面（図４、図６参照）に、各執務席に座る利用者の情報（顔画像や名前や所属部署など）を表示する。
【００６６】
デジタルサイネージ３は、通信部３１と、プロセッサ３２と、記憶部３３と、表示部３４と、入力部３５と、を備えている。
【００６７】
通信部３１は、施設管理装置２との間で通信を行う。記憶部３３は、プロセッサ３２で実行されるプログラムなどを記憶する。プロセッサ３２は、デジタルサイネージ３の各部の動作を制御し、利用者による入力部３５の操作に応じて、施設管理装置２から送信される画面（図４〜図６参照）の表示情報を通信部３１で受信して、その表示情報に基づいて表示部３４に画面を表示する。
【００６８】
なお、入力部３５はタッチパネルであり、表示部３４となる表示パネルと組み合わされてタッチパネルディスプレイを構成する。
【００６９】
ユーザ端末４は、通信部４１と、プロセッサ４２と、記憶部４３と、表示部４４と、入力部４５と、を備えている。
【００７０】
通信部４１は、施設管理装置２との間で通信を行う。記憶部４３は、プロセッサ４２で実行されるプログラムなどを記憶する。プロセッサ４２は、ユーザ端末４の各部の動作を制御し、利用者による入力部４５の操作に応じて、施設管理装置２から送信される画面（図４〜図６参照）の表示情報を通信部４１で受信して、その表示情報に基づいて表示部４４に画面を表示する。
【００７１】
なお、ユーザ端末４がタブレット端末などである場合には、入力部４５はタッチパネルとなり、表示部４４となる表示パネルと組み合わされてタッチパネルディスプレイを構成する。
【００７２】
次に、デジタルサイネージ３に表示される初期状態の執務席マップ画面について説明する。図４は、初期状態の執務席マップ画面を示す説明図である。
【００７３】
デジタルサイネージ３では、通常時に、初期状態の執務席マップ画面が表示される。この初期状態の執務席マップ画面には、執務室内の各執務席の在席状況（空席状況）を表す執務席マップ５１が表示される。この執務席マップ５１では、執務席ごとの在席状況を表す執務席アイコン５２が、執務室のレイアウトを表わすエリアマップ５３（地図画像）上に重畳して表示されている。エリアマップ５３には机の画像５４が描画されている。
【００７４】
執務席アイコン５２は、在席状況（在席および不在）に応じて表示形態が変化する。本実施形態では、在席の場合に執務席アイコン５２に利用者の顔画像が表示される。なお、在席状況に応じて在席または不在を表す文字を表示したり、在席状況に応じて色が変化したりしてもよい。また、執務席アイコン５２を操作すると、利用者の詳細な情報（名前や所属部署など）が表示される。
【００７５】
また、この執務席マップ画面には、レコメンドボタン５５が設けられている。このレコメンドボタン５５を操作すると、モード設定画面（図５参照）に遷移する。
【００７６】
なお、ユーザ端末４では、ブラウザにより、同様の執務席マップ画面が表示される。
【００７７】
次に、デジタルサイネージ３に表示されるモード指定画面について説明する。図５は、モード指定画面を示す説明図である。
【００７８】
初期状態の執務席マップ画面（図４参照）で利用者がレコメンドボタン５５を操作することで、モード指定画面に遷移する。
【００７９】
このモード指定画面では、執務席マップ画面上に、画面操作を案内するメッセージ６１（例えば「どんな気分ですか？」）と、作業環境に関する選定モードを指定する複数のモード指定ボタン６２〜６４と、が重畳表示される。本実施形態では、作業環境に関する選定モードとして、「静か」、「入り交じり」、および「お任せ」の３つの選定モードのいずれかを利用者が指定することができる。
【００８０】
なお、ユーザ端末４では、ブラウザにより、同様のモード指定画面が表示される。
【００８１】
また、デジタルサイネージ３に、赤外線などを利用して人物を検知する人感センサを設けて、利用者が執務室に入室する際にデジタルサイネージ３の前に立つと、その利用者を検知し、これに応じて、デジタルサイネージ３の画面が、初期状態の執務席マップ画面（図４参照）からモード指定画面に遷移するようにしてもよい。
【００８２】
また、初期状態の執務席マップ画面（図４参照）に、画面操作を案内するメッセージと、作業環境に関する選定モードを指定するボタンとを表示して、モード指定画面を省略するようにしてもよい。
【００８３】
次に、デジタルサイネージ３に表示される執務席提示状態の執務席マップ画面について説明する。図６は、執務席提示状態の執務席マップ画面を示す説明図である。
【００８４】
この執務席提示状態の執務席マップ画面（執務席候補提示画面）は、モード指定画面（図５参照）で利用者がいずれかのモード指定ボタン６２〜６４を指定することで表示される。
【００８５】
この執務席提示状態の執務席マップ画面には、初期状態の執務席マップ画面（図４参照）と同様に、執務席マップ５１が表示される。また、この画面には、執務席候補に関する強調表示として、執務席候補を表すアイコン７１が、執務席マップ５１上の該当する執務席の位置に表示される。なお、利用者が指定した選定条件（選定モード）に適合する執務席候補が複数見つかった場合には、複数の執務席候補のアイコン７１が表示される。また、この画面には、利用者の現在地を表すアイコン７２が表示される。また、執務席候補の案内にあたり、予め執務席ごとに割り当てられた番号や記号などをアイコン７１の近くに表示させてもよい。
【００８６】
この執務席提示状態の執務席マップ画面で、利用者が執務席を選択する操作を行う、具体的には、執務席候補のアイコン７１を操作すると、利用者が選択した執務席が仮予約状態に設定される。
【００８７】
なお、ユーザ端末４では、ブラウザにより、同様の執務席提示状態の執務席マップ画面が表示される。
【００８８】
また、執務室が複数存在する場合には、その複数の執務室を対象にして執務席を提示するようにしてもよい。すなわち、利用者が入室しようとする執務室に、利用者が指定した選定条件に適合した執務席がなくても、別の執務室に、利用者が指定した選定条件に適合した執務席がある場合には、別の執務室を案内するようにしてもよい。
【００８９】
次に、施設管理装置２で行われる処理の手順ついて説明する。図７および図８は、施設管理装置２で行われる処理の手順を示すフロー図である。
【００９０】
施設管理装置２では、まず、執務室の入口に設置されたデジタルサイネージ３に、初期状態の執務席マップ画面（図４参照）を表示する（ＳＴ１０１）。この初期状態の執務席マップ画面には、執務室内の各執務席の空席状況が表示される。
【００９１】
次に、初期状態の執務席マップ画面で利用者がレコメンドボタン５５を操作すると（ＳＴ１０２でＹｅｓ）、モード設定画面（図５参照）を表示する（ＳＴ１０３）。
【００９２】
なお、デジタルサイネージ３に設けられた人感センサにより利用者を検知した場合に、モード設定画面に遷移するようにしてもよい。
【００９３】
次に、モード設定画面で利用者がいずれのモード指定ボタン６２〜６４を操作したかを判定する（ＳＴ１０４）。ここで、「静か」のモード指定ボタン６２を操作した場合には、空席状態の執務席の中から、属性が「入り交じり」となる執務席が付近になく、かつ、人物の滞在度合いが低いエリアにある執務席を執務席候補として選定する（ＳＴ１０５）。
【００９４】
また、「お任せ」のモード指定ボタン６３を操作した場合には、空席状態の執務席の中から、属性が「静か」となる執務席が付近にない執務席を執務席候補としてランダムに選定する（ＳＴ１０６）。
【００９５】
また、「入り交じり」のモード指定ボタン６４を操作した場合には、空席状態の執務席の中から、属性が「静か」となる執務席が付近になく、かつ、人物の滞在度合いが高いエリアにある執務席を執務席候補として選定する（ＳＴ１０７）。
【００９６】
次に、選定した執務席候補に基づいて、執務席提示状態の執務席マップ画面（図６参照）を表示する（ＳＴ１０８）。この画面では、執務席候補として選定した執務席が強調表示される。
【００９７】
次に、執務席提示状態の執務席マップ画面で利用者が執務席を選択する操作を行うと（ＳＴ１０９でＹｅｓ）、次に、選択した執務席が、「静か」の選定モードで選定されたものか否かを判定する（ＳＴ１１０）。ここで、「静か」の選定モードで選定されたものである場合には（ＳＴ１１０でＹｅｓ）、その執務席の属性を「静か」に設定する（ＳＴ１１１）。
【００９８】
一方、「静か」の選定モードで選定されたものでない場合には（ＳＴ１１０でＮｏ）、次に、「入り交じり」の選定モードで選定されたものか否かを判定する（ＳＴ１１２）。ここで、「入り交じり」の選定モードで選定されたものである場合には（ＳＴ１１２でＹｅｓ）、その執務席の属性を「入り交じり」に設定する（ＳＴ１１３）。
【００９９】
なお、「入り交じり」の選定モードで選定されたものでない場合には（ＳＴ１０１でＮｏ）、すなわち、「お任せ」の選定モードで選定されたものである場合には、執務席の属性を設定しない。
【０１００】
次に、利用者が選択した執務席を仮予約状態に設定する（ＳＴ１１４）。
【０１０１】
次に、施設管理装置２で行われる仮予約管理の処理について説明する。図９は、仮予約管理の処理手順を示すフロー図である。
【０１０２】
本実施形態では、利用者がデジタルサイネージ３で執務席を選択する操作を行うと、その執務席を仮予約状態に設定し、その後、利用者が執務席に座って、その執務席の状態が在席に変化すると、仮予約状態を解除する。
【０１０３】
ところが、何らかの事情で、選択した執務席に利用者が座らなかった場合、その執務席は仮予約状態のままで放置される。このような状態が長時間継続すると、以降の執務席提示で、利用者の要望に合った執務席が残っているにも拘わらず、その執務席を利用者に提示することができないという不具合が発生する。
【０１０４】
そこで、本実施形態では、利用者が執務席を選択する操作を行うことで執務席が仮予約状態に設定されてから所定時間（例えば５分間）経過しても、利用者が執務席に座らない場合、すなわち、執務席の状態が在席に変化しない場合には、その執務席の仮予約状態を解除する。
【０１０５】
具体的には、まず、仮予約状態の執務席があるか否かを判定する（ＳＴ２０１）。ここで、仮予約状態の執務席がある場合には（ＳＴ２０１でＹｅｓ）、次に、仮予約状態の全ての執務席を対象にして、仮予約解除の処理を行う（ＳＴ２０２〜ＳＴ２０５）。
【０１０６】
この仮予約解除の処理では、対象となる執務席について、仮予約から所定時間経過したか否かを判定する（ＳＴ２０３）。ここで、仮予約から所定時間経過した場合には（ＳＴ２０３でＹｅｓ）、その執務席の仮予約状態を解除する（ＳＴ２０４）。一方、仮予約から所定時間経過していない場合には（ＳＴ２０４でＮｏ）、特に処理を行わずに、次の執務席の処理に進む。
【０１０７】
以上の処理は、一定周期で定期的に実行される。
【０１０８】
次に、施設管理装置２で行われる在席管理の処理について説明する。図１０は、在席管理の処理手順を示すフロー図である。
【０１０９】
まず、在席検知の処理で、在席が検知された執務席があるか否かを判定する（ＳＴ３０１）。ここで、在席が検知された場合には（ＳＴ３０１でＹｅｓ）、次に、在席が検知された全ての執務席を対象にして、執務席状態設定の処理を行う（ＳＴ３０２〜ＳＴ３０４）。
【０１１０】
この執務席状態設定の処理では、対象となる各執務席を在席状態に設定する（ＳＴ３０３）。一方、在席が検知されない執務席は空席状態のままとなる。
【０１１１】
以上の処理は、一定周期で定期的に実行される。
【０１１２】
以上のように、本実施形態では、選定条件（選定モード）を利用者に指定させて、その選定条件に応じた執務席候補を利用者に提示する。このため、利用者の要望も考慮した執務席を提示することができる。例えば、その日の業務の都合上、集中して執務を行いたいと考える利用者には、静かな作業環境の執務席を提示することができ、また、今日は周囲の人物と積極的に交流しながら執務を行いたいと考える利用者には、周囲の人物との交流を図ることができる執務席を提示することができる。
【０１１３】
また、出張者などのように、フリーアドレス制に不慣れな利用者はどこに座ったらいいか戸惑う場合があるが、本実施形態では、そのような利用者でも戸惑うことなく執務席を利用することができる。
【０１１４】
また、本実施形態では、在席検知が定期的に実行されて、執務席の状態がリアルタイムに更新される。このため、その日の業務の都合などで、提示された執務席と異なる執務席に利用者が座った場合や、執務席に一度座った後に別の執務席に移動した場合でも、以降の執務席提示の処理を支障なく行うことができる。
【０１１５】
なお、来室者が居ないか、極端に少ない場合は、ほとんどの執務席が候補となるため、選択モード設定だけを行って、自身の判断で着席するようにしてもよい。
【０１１６】
また、選定モードとして、「静か」、「入り交じり」、および「お任せ」の３つを挙げたが、これに限らず、場所や人数といった要素での優先モードを追加したり、第２のモードとして組合わせたりしてもよい。
【０１１７】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【０１１８】
本発明に係る執務席提示システムおよび執務席提示方法は、執務席の固定化を避けると共に、利用者の要望も考慮した執務席を提示することができる効果を有し、執務エリア内に配置された複数の執務席の中から執務席候補を選択して、その執務席候補を利用者に提示する処理をプロセッサにより実行する執務席提示システムおよび執務席提示方法などとして有用である。
【符号の説明】
【０１１９】
１  カメラ
２  施設管理装置
３  デジタルサイネージ
４  ユーザ端末
２１  通信部
２２  プロセッサ
２３  記憶部
２４  表示部
２５  入力部
【図１】
2019144918.tif 000003
【図２】
2019144918.tif 000004
【図３】
2019144918.tif 000005
【図４】
2019144918.tif 000006
【図５】
2019144918.tif 000007
【図６】
2019144918.tif 000008
【図７】
2019144918.tif 000009
【図８】
2019144918.tif 000010
【図９】
2019144918.tif 000011
【図１０】
2019144918.tif 000012